(57)【要約】【課題】ソースデバイスからのコンテンツデータに含まれる映像データおよびオーディオデータそれぞれを任意の電子機器に伝送することが可能なデータ伝送装置を実現する。【解決手段】映像伝送装置１０１は、複数の電子機器（ＴＶ、プロジェクタ、ＡＶアンプ）それぞれの機能に応じて、これら複数の電子機器を複数のグループに分類し、これらグループそれぞれの構成の一覧を示すリスト情報を生成する。各グループは、映像表示に使用可能な電子機器とオーディオ出力に使用可能な電子機器との組み合わせ、または映像表示およびオーディオ出力の双方に使用可能な一つの電子機器、から構成される。映像伝送装置１０１は、生成したリスト情報をソースデバイスに送信する。そして、ソースデバイスから出力される選択情報に応じて、映像伝送装置１０１は、ソースデバイスから出力される映像データおよびオーディオデータそれぞれの伝送先を特定する。【選択図】      図１
2012157033.tif 000002
【特許請求の範囲】
【請求項１】
映像データとオーディオデータとを含むコンテンツデータを複数の電子機器に送信するデータ伝送装置であって、
前記複数の電子機器それぞれとの通信によって前記複数の電子機器それぞれの機能を検出する機能検出手段と、
前記検出された前記複数の電子機器それぞれの機能に応じて、前記複数の電子機器を、映像表示に使用可能な第１の電子機器とオーディオ出力に使用可能な第２の電子機器とを含む第１グループと、映像表示およびオーディオ出力の双方に使用可能な第３の電子機器を含む第２グループとに分類する分類手段と、
前記第１及び第２グループのうち一つを選択する選択手段と、
前記第１グループが選択された場合、前記映像データを前記第１の電子機器に、前記オーディオデータを前記第２の電子機器にそれぞれ送信し、前記第２グループが選択された場合、前記コンテンツデータに含まれる映像データおよびオーディオデータを前記第３の電子機器に送信するデータ送信制御手段とを具備するデータ伝送装置。
【請求項２】
前記選択手段はユーザ操作に応じてグループを選択する、請求項１記載のデータ伝送装置。
【請求項３】
前記第１及び第２グループそれぞれの構成を示すリスト情報を画面上に表示させるリスト情報表示手段を更に具備する、請求項１記載のデータ伝送装置。
【請求項４】
前記データ伝送装置は、ソースデバイスに接続され、前記ソースデバイスから出力される前記コンテンツデータを送信するものであって、
前記第１グループが選択された場合、前記第１の電子機器が表示可能な映像データフォーマットを示す前記第１の電子機器の機器情報と前記第２の電子機器が処理可能なオーディオデータフォーマットを示す前記第２の電子機器の機器情報とを前記ソースデバイスに通知し、前記第２グループが選択された場合、前記第３の電子機器が表示可能な映像データフォーマットおよび前記第３の電子機器が処理可能なオーディオデータフォーマットをそれぞれ示す前記第３の電子機器の機器情報を前記ソースデバイスに通知する通知手段を更に具備する、請求項１記載のデータ伝送装置。
【請求項５】
前記データ伝送装置は、ソースデバイスに接続され、前記ソースデバイスから出力される前記コンテンツデータを送信するものであって、
前記第１及び第２グループそれぞれに関するリスト情報を生成するリスト情報生成手段と、
前記生成されたリスト情報を前記ソースデバイスに送信するリスト情報送信手段と、
前記ソースデバイスから出力される、前記第１及び第２グループの一つを指定する選択情報を受信する受信手段とを更に具備し、
前記選択手段は、前記選択情報に応じてグループを選択する、請求項１記載のデータ伝送装置。
【請求項６】
前記ソースデバイスは、前記ソースデバイスに設けられた所定のボタンの操作に応答して、送信先電子機器に対して映像表示またはオーディオ出力をすべきことを指示するメッセージであって前記選択情報が付加されたメッセージを出力すると共に、前記コンテンツデータの出力を開始し、
前記選択手段は、前記ソースデバイスから出力される前記メッセージに付加された前記選択情報に応じてグループを選択する、請求項５記載のデータ伝送装置。
【請求項７】
前記データ送信制御手段は、前記第１のグループが選択された場合、前記メッセージおよび前記コンテンツデータに含まれる映像データを前記第１の電子機器に送信すると共に、前記メッセージおよび前記コンテンツデータに含まれるオーディオデータを前記第２の電子機器に送信する請求項６記載のデータ伝送装置。
【請求項８】
前記データ送信制御手段は、前記第２のグループが選択された場合、前記メッセージと、前記コンテンツデータに含まれる前記映像データおよび前記オーディオデータとを、前記第３の電子機器に送信する請求項７記載のデータ伝送装置。
【請求項９】
映像データとオーディオデータとを含むコンテンツデータを複数の電子機器に送信するデータ伝送方法であって、
前記複数の電子機器それぞれとの通信によって前記複数の電子機器それぞれの機能を検出し、
前記検出された前記複数の電子機器それぞれの機能に応じて、前記複数の電子機器を、映像表示に使用可能な第１の電子機器とオーディオ出力に使用可能な第２の電子機器とを含む第１グループと、映像表示およびオーディオ出力の双方に使用可能な第３の電子機器を含む第２グループとに分類し、
前記第１及び第２グループのうち一つを選択し、
前記第１グループが選択された場合、前記映像データを前記第１の電子機器に、前記オーディオデータを前記第２の電子機器にそれぞれ送信し、前記第２グループが選択された場合、前記コンテンツデータに含まれる映像データおよびオーディオデータを前記第３の電子機器に送信する、データ伝送方法。
【発明の詳細な説明】
【技術分野】
【０００１】
本発明は、ソースデバイスから出力されるコンテンツデータを電子機器に伝送するデータ伝送装置およびデータ伝送方法に関する。
【背景技術】
【０００２】
近年、映像データを伝送するためのインタフェースとして、ＨＤＭＩ（High-Definition Multimedia Interface）などのインタフェース規格が用いられている。ＨＤＭＩインタフェースは、デジタルテレビジョン信号のようなコンテンツデータを、ＤＶＤ（Digital Versatile Disc）プレーヤのようなソースデバイスから、ＴＶセット、プロジェクタ、オーディオシステムのような電子機器に送信するために使用される。ソースデバイスと電子機器（シンクデバイスと称されることもある）との間は一本のケーブルを介して接続される。ソースデバイスから出力されるコンテンツデータに含まれる映像データおよびオーディオデータの双方は、一本のケーブルを介して電子機器に伝送される。
【０００３】
しかし、ケーブル接続はソースデバイスおよび電子機器それぞれの設置場所を制限するので、ソースデバイスおよび電子機器をそれぞれ任意の場所に配置することは困難となる。
【０００４】
特許文献１には、ＤＶＤデバイスと、ＴＶ、オーディオ機器のような電子機器との間を無線接続する無線ネットワークシステムが開示されている。この無線ネットワークシステムにおいては、ＤＶＤデバイスと電子機器それぞれとの間の距離が検出され、ＤＶＤデバイスから所定距離内に存在する電子機器が優先的にＤＶＤデバイスに無線接続される。
【先行技術文献】
【特許文献】
【０００５】
【特許文献１】特開２００６−２４６０５７号公報
【発明の概要】
【発明が解決しようとする課題】
【０００６】
しかし、特許文献１のシステムにおいては、映像出力に使用すべき電子機器とオーディオ出力に使用すべき電子機器との組み合わせの選択に関しては特に考慮されていない。ＨＤＭＩのようなインタフェースが無線化されたならば、ソースデバイスは複数の電子機器に容易に無線接続することができる。このため、ソースデバイスから出力されるコンテンツデータに含まれる映像データおよびオーディオデータそれぞれを任意の電子機器に伝送するための新たな機能の実現が必要である。
【０００７】
本発明は上述の事情を考慮してなされたものであり、ソースデバイスからのコンテンツデータに含まれる映像データおよびオーディオデータそれぞれを複数の電子機器内の任意の１以上の電子機器に伝送することが可能なデータ伝送装置およびデータ伝送方法を提供することを目的とする。
【課題を解決するための手段】
【０００８】
上述の課題を解決するため、請求項１に係る発明は、映像データとオーディオデータとを含むコンテンツデータを複数の電子機器に送信するデータ伝送装置であって、前記複数の電子機器それぞれとの通信によって前記複数の電子機器それぞれの機能を検出する機能検出手段と、前記検出された前記複数の電子機器それぞれの機能に応じて、前記複数の電子機器を、映像表示に使用可能な第１の電子機器とオーディオ出力に使用可能な第２の電子機器とを含む第１グループと、映像表示およびオーディオ出力の双方に使用可能な第３の電子機器を含む第２グループとに分類する分類手段と、前記第１及び第２グループのうち一つを選択する選択手段と、前記第１グループが選択された場合、前記映像データを前記第１の電子機器に、前記オーディオデータを前記第２の電子機器にそれぞれ送信し、前記第２グループが選択された場合、前記コンテンツデータに含まれる映像データおよびオーディオデータを前記第３の電子機器に送信するデータ送信制御手段とを具備する。
【発明の効果】
【０００９】
本発明によれば、ソースデバイスからのコンテンツデータに含まれる映像データおよびオーディオデータそれぞれを複数の電子機器内の任意の１以上の電子機器に伝送することが可能となる。
【図面の簡単な説明】
【００１０】
【図１】本発明の一実施形態に係る映像伝送装置を含む無線伝送システムの構成例を示すブロック図。
【図２】同実施形態の映像伝送装置によって生成されたトポロジーリスト情報の例を示す図。
【図３】同実施形態の映像伝送装置の構成例を示すブロック図。
【図４】同実施形態の映像伝送装置からソースデバイスにトポロジーリスト情報を送信する動作を説明するための図。
【図５】同実施形態の映像伝送装置によって実行される、選択情報付きメッセージに対する処理の例を説明するための図。
【図６】同実施形態の映像伝送装置によって実行される一連の処理の手順の例を示すフローチャート。
【図７】本実施形態の映像伝送装置を含む無線伝送システムの他の構成例を示すブロック図。
【図８】同実施形態の映像伝送装置によって生成されたトポロジーリスト情報の他の例を示す図。
【図９】同実施形態の映像伝送装置の他の構成の例を示すブロック図。
【図１０】同実施形態の映像伝送装置によって実行される一連の処理の手順の他の例を示すフローチャート。
【発明を実施するための形態】
【００１１】
以下、図面を参照して、本発明の実施形態を説明する。  
図１には、本発明の一実施形態に係るデータ伝送装置を含む無線伝送システムの構成例が示されている。この無線伝送システムは、映像伝送装置１０１、ＴＶセット１１１、プロジェクタ１１２、ＡＶアンプ（オーディオシステム）１１３、ソースデバイス１２１，１２２、等から構成されている。
【００１２】
映像伝送装置１０１は本実施形態のデータ伝送装置であり、ソースデバイス１２１，１２２の各々から出力される、映像データおよびオーディオデータを含むコンテンツデータを、複数の電子機器（ＴＶセット１１１、プロジェクタ１１２、ＡＶアンプ１１３、等）に無線信号によって選択的に伝送する。
【００１３】
ソースデバイス１２１，１２２の各々は、例えば、ＤＶＤプレーヤ、ＡＶレコーダ等のデバイスであり、映像データ（非圧縮の映像データ）、およびオーディオデータを含むコンテンツデータを再生して当該コンテンツデータのストリームを出力することができる。ソースデバイス１２１の出力端子は、例えば、ＨＤＭＩ規格のケーブルを介して映像伝送装置１０１の入力端子に接続されている。同様に、ソースデバイス１２２の出力端子も、例えば、ＨＤＭＩ規格のケーブルを介して映像伝送装置１０１の別の入力端子に接続されている。
【００１４】
ＴＶセット１１１、プロジェクタ１１２、ＡＶアンプ１１３の各々は、映像表示機能、オーディオ出力機能、または映像表示機能とオーディオ出力機能の双方を有する電子機器である。ＴＶセット１１１、プロジェクタ１１２、ＡＶアンプ１１３の各々は、ソースデバイスから出力されるストリーム（コンテンツデータ）を受信するＳｉｎｋデバイスとして機能する。
【００１５】
映像伝送装置１０１は、ソースデバイス１２１、１２２の各々から出力されるコンテンツデータを受信し、その受信したコンテンツデータを、無線信号によってＴＶセット１１１、プロジェクタ１１２、ＡＶアンプ１１３に選択的に伝送する。映像送信装置１０１と、ＴＶセット１１１、プロジェクタ１１２、ＡＶアンプ１１３の各々との間の無線インタフェースは、例えば、ＨＤＭＩ規格のケーブルを無線化したものと同等の能力を持つ。この無線伝送システムにおいて使用される無線通信方式は、無線ＬＡＮと比較して高速な、例えば、WirelessHD、またはＵＷＢ（Ultra Wideband）のような高速無線通信方式が好適である。この場合、映像伝送装置１０１は、WirelessHD、ＵＷＢのような高速無線通信方式を用いて無線通信を実行し、またＴＶセット１１１、プロジェクタ１１２、ＡＶアンプ１１３の各々も、WirelessHD、ＵＷＢのような高速無線通信方式を用いて無線通信を実行する。WirelessHDにおいては、60GHz帯のミリ波を用いて無線通信が実行される。
【００１６】
映像伝送装置１０１は、例えばＨＤＭＩ規格で規定された通信手順に従って、ＴＶセット１１１、プロジェクタ１１２、ＡＶアンプ１１３の各々との通無線信を実行することができる。この無線通信により、映像伝送装置１０１は、ソースデバイス１２１、１２２の各々から出力される、非圧縮の映像データを含むコンテンツデータをＴＶセット１１１、プロジェクタ１１２、ＡＶアンプ１１３に選択的に伝送する。
【００１７】
映像伝送装置１０１は、映像伝送装置１０１に無線接続可能な複数の電子機器（図１の例では、ＴＶセット１１１、プロジェクタ１１２、ＡＶアンプ１１３）それぞれの機能に応じて、これら複数の電子機器を複数のグループ（複数のトポロジーグループ）に分類し、これらグループそれぞれの構成の一覧を示すリスト情報（トポロジーリスト情報）を生成する。各トポロジーグループは、映像表示に使用可能な電子機器（Ｓｉｎｋデバイス）とオーディオ出力に使用可能な電子機器（Ｓｉｎｋデバイス）との組み合わせ、または映像表示およびオーディオ出力の双方に使用可能な一つの電子機器、から構成される。
【００１８】
ＴＶセット（ＴＶデバイスとも云う）１１１は映像表示機能およびオーディオ出力機能の双方を有するＳｉｎｋデバイスである。プロジェクタ１１２は、映像表示機能を有し、オーディオ出力機能は有さないＳｉｎｋデバイスである。ＡＶアンプ１１３はオーディオ出力機能を有し、映像表示機能を有さないＳｉｎｋデバイスである。このため、これらＴＶセット１１１、プロジェクタ１１２、ＡＶアンプ１１３それぞれの機能に応じて、映像伝送装置１０１は、図２に示すようなトポロジーリスト情報を生成する。
【００１９】
図２のトポロジーリスト情報においては、ＴＶセット１１１、プロジェクタ１１２、ＡＶアンプ１１３は４つのトポロジーグループに分類されている。なお、図２においては、コンテンツデータの中には、映像データのみを含み、オーディオデータを含まないものも存在することを考慮して、オーディオ出力機能のみを有するプロジェクタ２のみから構成されるトポロジーグループも、トポロジーグループの一つとして扱われている。
【００２０】
すなわち、トポロジーグループ１には、ＴＶセット１１１のみが属している。トポロジーグループ１は、映像表示およびオーディオ出力の双方をＴＶセット１１１を用いて行うトポロジーグループである。トポロジーグループ１が例えばソースデバイス１２１によって選択された場合、ソースデバイス１２１から出力されるコンテンツデータに含まれる、映像データおよびオーディオデータの双方が、映像伝送装置１０１とＴＶセット１１１との間に確立された無線通信チャネルを介して、映像伝送装置１０１からＴＶセット１１１に伝送される。
【００２１】
トポロジーグループ２には、プロジェクタ１１２のみが属している。トポロジーグループ２は、映像表示をプロジェクタ１１２を用いて行うトポロジーグループである。トポロジーグループ２が例えばソースデバイス１２１によって選択された場合、ソースデバイス１２１から出力されるコンテンツデータに含まれる、映像データおよびオーディオデータの双方が、または当該コンテンツデータに含まれる映像データのみが、映像伝送装置１０１とプロジェクタ１１２との間に確立された無線通信チャネルを介して、映像伝送装置１０１からプロジェクタ１１２に伝送される。
【００２２】
トポロジーグループ３には、ＴＶセット１１１とＡＶアンプ１１３とが属している。トポロジーグループ３は、映像表示をＴＶセット１１１を用いて行い、オーディオ出力をＡＶアンプ１１３を用いて行うトポロジーグループである。トポロジーグループ３が例えばソースデバイス１２１によって選択された場合、ソースデバイス１２１から出力されるコンテンツデータに含まれる映像データおよびオーディオデータの内、映像データは、映像伝送装置１０１とＴＶセット１１１との間に確立された無線通信チャネルを介して、映像伝送装置１０１からＴＶセット１１１に伝送される。一方、ソースデバイス１２１から出力されるコンテンツデータに含まれる映像データおよびオーディオデータの内、オーディオデータは、映像伝送装置１０１とＡＶアンプ１１３との間に確立された無線通信チャネルを介して、映像伝送装置１０１からＡＶアンプ１１３に伝送される。
【００２３】
トポロジーグループ４には、プロジェクタ１１２とＡＶアンプ１１３とが属している。トポロジーグループ４は、映像表示をプロジェクタ１１２を用いて行い、オーディオ出力をＡＶアンプ１１３を用いて行うトポロジーグループである。トポロジーグループ４が例えばソースデバイス１２１によって選択された場合、ソースデバイス１２１から出力されるコンテンツデータに含まれる映像データおよびオーディオデータの内、映像データは、映像伝送装置１０１とプロジェクタ１１２との間に確立された無線通信チャネルを介して、映像伝送装置１０１からプロジェクタ１１２に伝送される。一方、ソースデバイス１２１から出力されるコンテンツデータに含まれる映像データおよびオーディオデータの内、オーディオデータは、映像伝送装置１０１とＡＶアンプ１１３との間に確立された無線通信チャネルを介して、映像伝送装置１０１からＡＶアンプ１１３に伝送される。
【００２４】
映像伝送装置１０１は、トポロジーリスト情報をソースデバイス１２１，１２２の各々に送信する。ソースデバイス１２１，１２２の各々は、トポロジーリスト情報によって指定される複数のトポロジーグループの中の任意の一つを指定することができる。
【００２５】
例えば、トポロジーリスト情報によって指定される複数のトポロジーグループは、ソースデバイスに設けられたチャネル切り替えボタンのような一つの操作ボタンに割り当てることができる。ユーザがこの操作ボタンを押すたびに、選択されるべきトポロジーグループは、トポロジーグループ１、２、３、４、１、…の順番で、順次切り替えられる。また、複数のトポロジーグループをソースデバイスに設けられた複数の操作ボタンにそれぞれ割り当ててもよい。
【００２６】
次に、図３を参照して、映像伝送装置１０１の構成例を説明する。
【００２７】
映像伝送装置１０１は、無線通信部２０１、ＨＤＭＩインタフェース部２０２、機能検出部２０３、トポロジーリスト生成部２０４、リスト情報送信部２０５、データ伝送制御部２０６、および伝送先特定部２０７等を備えている。
【００２８】
無線通信部２０１は、ＴＶセット１１１、プロジェクタ１１２、ＡＶアンプ１１３それぞれとの無線通信を実行する。ＨＤＭＩインタフェース部２０２は、ＨＤＭＩケーブルを介してソースデバイス１２１に接続されており、また他のＨＤＭＩケーブルを介してソースデバイス１２２に接続されている。ＨＤＭＩインタフェース部２０２は、ＨＤＭＩケーブルを介してソースデバイス１２１，１２２の各々との通信を実行する。
【００２９】
機能検出部２０３は、映像伝送装置１０１に無線接続可能なＳｉｎｋデバイスそれぞれとの無線通信によって、それらＳｉｎｋデバイスそれぞれの機能を検出する。例えば、機能検出部２０３は、映像伝送装置１０１に無線接続可能なＳｉｎｋデバイスを検出するためのスキャン処理を実行し、そして検出されたＳｉｎｋデバイスそれぞれの機能（能力とも云う）を検出する。例えば、映像伝送装置１０１からの電波が届くエリア内に、ＴＶセット１１１、プロジェクタ１１２、ＡＶアンプ１１３それぞれが存在する場合には、機能検出部２０３は、ＴＶセット１１１、プロジェクタ１１２、ＡＶアンプ１１３の各々との無線通信を無線通信部２０１を介して実行し、これによってＴＶセット１１１、プロジェクタ１１２、ＡＶアンプ１１３の各々の機能を検出する。
【００３０】
ＨＤＭＩ規格においては、複数のＳｉｎｋデバイスの種類それぞれに対してユニークなデバイスタイプ情報（例えばユニークな論理アドレス）が割り当てられている。したがって、機能検出部２０３は、スキャン処理等によって検出された複数のＳｉｎｋデバイスそれぞれからデバイスタイプ情報（Ｓｉｎｋタイプ情報）を取得することにより、複数のＳｉｎｋデバイスそれぞれの機能を検出することができる。
【００３１】
トポロジーリスト生成部２０４は、機能検出部２０３によって検出された複数のＳｉｎｋデバイスそれぞれの機能に応じて、複数のＳｉｎｋデバイスを、各々のグループが映像表示に使用可能なＳｉｎｋデバイスとオーディオ出力に使用可能なＳｉｎｋデバイスとの組み合わせ、または映像表示およびオーディオ出力の双方に使用可能な一つのＳｉｎｋデバイスを含む、複数のトポロジーグループに分類し、この複数のトポロジーグループそれぞれの構成（例えば、トポロジーグループそれぞれに属するＳｉｎｋデバイス名等）の一覧を示す上述のトポロジーリスト情報を生成する。
【００３２】
リスト情報送信部２０５は、トポロジーリスト生成部２０４によって生成されたトポロジーリスト情報をソースデバイス１２１，１２２の各々に送信する。ＨＤＭＩ規格のケーブルにおいては、データ転送用のデータ伝送線群に加え、制御情報およびステータスを転送するための制御信号線であるＣＥＣ（Consumer Electronics Control）線が定義されている。このため、ソースデバイス１２１，１２２の各々へのトポロジーリスト情報の送信にはＣＥＣ線を用いることができる。データ伝送線群は、例えば、３組の差動信号線対から構成されている。
【００３３】
ソースデバイス１２１，１２２の各々は、３組の作動信号線対を介して、コンテンツデータ（非圧縮の映像データ、オーディオデータ）を出力することができる。この場合、オーディオデータの伝送は、例えば、映像データのブランキング期間内に実行される。
【００３４】
データ伝送制御部２０６は、ソースデバイス１２１または１２２から出力されるコンテンツデータに含まれる映像データおよびオーディオデータそれぞれの伝送先を特定し、特定された映像データ用の伝送先に対しては映像データを無線信号によって伝送し、特定されたオーディオデータ用の伝送先に対してはオーディオデータを無線信号によって伝送する。映像データおよびオーディオデータそれぞれの伝送先を特定するために、データ伝送制御部２０６は、伝送先特定部２０７を備えている。
【００３５】
伝送先特定部２０７は、ソースデバイス１２１（または１２２）から出力される、複数のトポロジーグループの一つを指定する選択情報に応じて、ソースデバイス１２１（または１２２）から出力されるコンテンツデータに含まれる映像データを伝送すべき第１のＳｉｎｋデバイス（ターゲットデバイス）と当該コンテンツデータに含まれるオーディオデータを伝送すべき第２のＳｉｎｋデバイス（ターゲットデバイス）とを特定する。
【００３６】
特定された第１のＳｉｎｋデバイスと特定された第２のＳｉｎｋデバイスとが異なるＳｉｎｋデバイスである場合、データ伝送制御部２０６は、特定された第１のＳｉｎｋデバイスおよび第２のＳｉｎｋデバイスそれぞれとの無線通信を無線通信部２０１を介して実行して、ソースデバイス１２１（または１２２）から出力されるコンテンツデータに含まれる映像データおよびオーディオデータを、特定された第１のＳｉｎｋデバイスおよび第２のＳｉｎｋデバイス、つまり異なる２つのＳｉｎｋデバイスに、それぞれ無線信号によって伝送する。ソースデバイスから出力されるコンテンツデータのストリームには映像データおよびオーディオデータが含まれているので、データ伝送制御部２０６は、受信したストリームから映像データおよびオーディオデータをそれぞれ抽出し、抽出した映像データを特定された第１のＳｉｎｋデバイスに伝送し、抽出したオーディオデータを特定された第２のＳｉｎｋデバイスに伝送する。
【００３７】
一方、特定された第１のＳｉｎｋデバイスと特定された第２のＳｉｎｋデバイスとが一つの同一のＳｉｎｋデバイスである場合、データ伝送制御部２０６は、当該一つのＳｉｎｋデバイスとの無線通信を無線通信部２０１を介して実行して、ソースデバイス１２１（または１２２）から出力されるコンテンツデータに含まれる映像データおよびオーディオデータを、当該一つのＳｉｎｋデバイスに無線信号によって伝送する。
【００３８】
前述の選択情報は、例えば、Ｓｉｎｋデバイスから出力されるメッセージに付加することができる。このメッセージは、Ｓｉｎｋデバイスが、コンテンツデータを伝送すべき伝送先Ｓｉｎｋデバイスに対して、映像表示またはオーディオ出力をすべきことを指示するメッセージである。このメッセージは、例えば、ＨＤＭＩ規格で定義されたワンタッチプレイ機能の実現のために使用することができる。ワンタッチプレイ機能は、ユーザがソースデバイスの操作ボタンを一回押すだけで、ソースデバイスに対してコンテンツデータのストリームの出力を実行させ、且つソースデバイスに結合された伝送先Ｓｉｎｋデバイスに対してストリームの処理（映像表示、オーディオ出力）を開始させる機能である。
【００３９】
本実施形態のシステムにおいては、任意のＳｉｎｋデバイスを用いたワンタッチプレイ機能を実現するために、例えば、上述のワンタッチプレイ用のメッセージに選択情報が付加された状態で、当該メッセージがソースデバイスから映像伝送装置１０１に送信される。すなわち、ユーザがソースデバイスに設けられたある操作ボタンを押すと、ソースデバイスは、伝送先Ｓｉｎｋデバイスに対して映像表示またはオーディオ出力をすべきことを指示する、ワンタッチプレイ用のメッセージを出力すると共に、コンテンツデータの出力を開始する。このメッセージには、そのメッセージに対応する引数として、一つのトポロジーグループを指定する選択情報が付加されている。選択情報が付加されたメッセージは、例えば、上述のＣＥＣ線を介してソースデバイスから映像伝送装置１０１に伝送され、またコンテンツデータはデータ伝送線群を介してソースデバイスから映像伝送装置１０１に伝送される。
【００４０】
伝送先特定部２０７は、ソースデバイスから出力されるメッセージに付加された選択情報に応じて、複数のＳｉｎｋデバイスの中から、第１のＳｉｎｋデバイスと第２のＳｉｎｋデバイスとを特定する。
【００４１】
特定された第１のＳｉｎｋデバイスと特定された第２のＳｉｎｋデバイスとが異なるＳｉｎｋデバイスである場合、データ伝送制御部２０６は、特定された第１のＳｉｎｋデバイスおよび第２のＳｉｎｋデバイスそれぞれとの無線通信を無線通信部２０１を介して実行して、ソースデバイスから出力されるメッセージと、ソースデバイスから出力されるコンテンツデータに含まれる映像データとを、特定された第１のＳｉｎｋデバイスに無線信号によって伝送すると共に、上記メッセージと、ソースデバイスから出力されるコンテンツデータに含まれるオーディオデータとを、特定された第２のＳｉｎｋデバイスに無線信号によって伝送する。これにより、異なる２つのＳｉｎｋデバイスにそれぞれワンタッチプレイ機能を実行させることが可能となる。
【００４２】
一方、特定された第１のＳｉｎｋデバイスと特定された第２のＳｉｎｋデバイスとが一つの同一のＳｉｎｋデバイスである場合、データ伝送制御部２０６は、当該一つのＳｉｎｋデバイスとの無線通信を無線通信部２０１を介して実行して、ソースデバイスから出力されるメッセージと、ソースデバイスから出力されるコンテンツデータに含まれる映像データおよびオーディオデータとを、当該一つのＳｉｎｋデバイスに無線信号によって伝送する。
【００４３】
次に、図４および図５を参照して、映像伝送装置１０１の動作例について説明する。
【００４４】
図４は、映像伝送装置１０１からソースデバイス１２１，１２２の各々にトポロジーリスト情報を送信する動作を示している。
【００４５】
映像伝送装置１０１は、トポロジーグループ１〜４それぞれの構成を示すトポロジーリスト情報を生成する。このトポロジーリスト情報においては、トポロジーグループ１〜４それぞれに関連づけられたＳｉｎｋデバイス識別情報が含まれている。Ｓｉｎｋデバイス識別情報は、対応するトポロジーグループに属する１以上のＳｉｎｋデバイスを示す。例えば、トポロジーグループ１に関連づけられたＳｉｎｋデバイス識別情報には、ＴＶセットを識別する識別情報（ＴＶ）が含まれている。トポロジーグループ２に関連づけられたＳｉｎｋデバイス識別情報には、プロジェクタを識別する識別情報（プロジェクタ）が含まれている。トポロジーグループ３に関連づけられたＳｉｎｋデバイス識別情報には、ＴＶセットを識別する識別情報（ＴＶ）とＡＶアンプを識別する識別情報（ＡＭＰ）とが含まれている。トポロジーグループ４に関連づけられたＳｉｎｋデバイス識別情報には、プロジェクタを識別する識別情報（プロジェクタ）とＡＶアンプを識別する識別情報（ＡＭＰ）とが含まれている。トポロジーグループ１〜４は、例えば、Ｓｉｎｋデバイスに設けられた４つの操作ボタンに割り当てることができる。もちろん、トポロジーグループ１〜４を、Ｓｉｎｋデバイスに設けられた１つの操作ボタンに割り当ててもよい。
【００４６】
図５には、ソースデバイス１２１から出力される選択情報付きメッセージを受信に応答して実行される映像伝送装置１０１の動作を示している。
【００４７】
ここでは、トポロジーグループ１〜４がＳｉｎｋデバイスに設けられた４つの操作ボタンにそれぞれ割り当てられている場合を想定する。４つの操作ボタンの内の１つがユーザによって操作された時、ソースデバイス１２１は、操作された操作ボタンに割り当てられたトポロジーグループを指定する選択情報付きのメッセージをＣＥＣ線を介して映像伝送装置１０１に送信すると共に、コンテンツデータをプレイバックする処理を開始し、コンテンツデータのストリームをデータ伝送線群を介して映像伝送装置１０１に送信する。このストリームには、映像データとオーディオデータとが含まれている。
【００４８】
図５においては、トポロジーグループ４を指定する選択情報付きのメッセージ（＜One Touch Play with Sink Select＞）が出力された場合を示している。メッセージ＜One Touch Play with Sink Select＞に付加された選択情報は、例えば、トポロジーグループ４を指定するグループ番号（＝４）と、トポロジーグループ４に属するＳｉｎｋデバイス識別情報（プロジェクタおよびＡＭＰ）とが含まれている。
【００４９】
トポロジーグループ４を指定する選択情報付きのメッセージを受信すると、映像伝送装置１０１は、その選択情報に応じて、プロジェクタ１１２を映像データを伝送すべき第１のＳｉｎｋデバイスとして特定すると共に、ＡＶアンプ１１３をオーディオデータを伝送すべき第２のＳｉｎｋデバイスとして特定する。そして、映像伝送装置１０１は、受信したメッセージ＜One Touch Play with Sink Select＞から選択情報を取り除き、メッセージ＜One Touch Play＞のみをプロジェクタ１１２に無線信号によって伝送すると共に、ソースデバイス１２１から受信したコンテンツデータに含まれる映像データをプロジェクタ１１２に無線信号によって伝送する。さらに、映像伝送装置１０１は、メッセージ＜One Touch Play＞をＡＶアンプ１１３に無線信号によって伝送すると共に、ソースデバイス１２１から受信したコンテンツデータに含まれるオーディオデータをＡＶアンプ１１３に無線信号によって伝送する。
【００５０】
次に、図６のフローチャートを参照して、映像伝送装置１０１によって実行される一連の処理手順を説明する。
【００５１】
まず、映像伝送装置１０１は、映像伝送装置１０１に無線接続可能なＳｉｎｋデバイスそれぞれとの無線通信によって、それらＳｉｎｋデバイスそれぞれの機能を検出する（ステップＳ１０１）。このステップＳ１０１では、映像伝送装置１０１は、例えば、特定種類のＳｉｎｋデバイスを探索するための問い合わせパケットをブロードキャストして当該特定種類のＳｉｎｋデバイスからの応答の有無を判別する処理を、探索対象とすべきＳｉｎｋデバイスの種類を変更しながら繰り返し実行する。これにより、映像伝送装置１０１に無線接続可能なＳｉｎｋデバイスそれぞれの機能を検出することができる。
【００５２】
次いで、映像伝送装置１０１は、検出されたＳｉｎｋデバイスそれぞれの機能に応じて、それらＳｉｎｋデバイスを、それらＳｉｎｋデバイスによって構成し得る複数のトポロジーグループに分類し、これら複数のトポロジーグループそれぞれの構成の一覧を示すトポロジーリスト情報を生成する（ステップＳ１０２）。映像伝送装置１０１は、生成したトポロジーリスト情報を各ソースデバイスに送信する（ステップＳ１０３）。
【００５３】
あるソースデバイスから送信される、選択情報付きメッセージを受信すると（ステップＳ１０４のＹＥＳ）、映像伝送装置１０１は、選択情報付きメッセージに含まれる選択情報に応じて、ソースデバイスからの映像データが伝送されるべき第１のＳｉｎｋデバイス（ビデオデータ用ターゲットデバイス）と、ソースデバイスからのオーディオデータが伝送されるべき第２のＳｉｎｋデバイス（オーディオデータ用ターゲットデバイス）とを特定する（ステップＳ１０５）。このステップＳ１０５では、映像伝送装置１０１は、生成したトポロジーリスト情報を参照して、選択情報によって指定されたトポロジーグループに属するＳｉｎｋデバイスを検出する。選択情報内に、当該選択情報によって指定されたトポロジーグループに属する各ＳｉｎｋデバイスのＳｉｎｋデバイス識別情報が含まれているならば、映像伝送装置１０１は、生成したトポロジーリスト情報を参照せずとも、ビデオデータ用ターゲットデバイスとオーディオデータ用ターゲットデバイスとを特定することができる。
【００５４】
次いで、映像伝送装置１０１は、ビデオデータ用ターゲットデバイスとオーディオデータ用ターゲットデバイスとが同じ一つのＳｉｎｋデバイスであるか否かを判定する（ステップＳ１０６）。
【００５５】
ビデオデータ用ターゲットデバイスとオーディオデータ用ターゲットデバイスとが同じ一つのＳｉｎｋデバイスであるならば（ステップＳ１０６のＹＥＳ）、映像伝送装置１０１は、当該１つのＳｉｎｋデバイスとの無線接続を確立し、そして、当該１つのＳｉｎｋデバイスに対して、ソースデバイスから受信したメッセージと、ソースデバイスから受信したコンテンツデータ（ビデオデータおよびオーディオデータ）とを伝送する（ステップＳ１０７）。
【００５６】
ビデオデータ用ターゲットデバイスとオーディオデータ用ターゲットデバイスとが異なる２つのＳｉｎｋデバイスであるならば（ステップＳ１０６のＮＯ）、映像伝送装置１０１は、ビデオデータ用ターゲットデバイスとして特定されたＳｉｎｋデバイスとオーディオデータ用ターゲットデバイスとして特定されたＳｉｎｋデバイスそれぞれとの無線接続を確立し、そして、ビデオデータ用ターゲットデバイスとして特定されたＳｉｎｋデバイスに対して、ソースデバイスから受信したメッセージと、ソースデバイスから受信したコンテンツデータに含まれるビデオデータとを伝送し、オーディオデータ用ターゲットデバイスとして特定されたＳｉｎｋデバイスに対して、ソースデバイスから受信したメッセージと、ソースデバイスから受信したコンテンツデータに含まれるオーディオデータとを伝送する（ステップＳ１０８）。
【００５７】
以上のように、本実施形態においては、ソースデバイスからのコンテンツデータに含まれる映像データおよびオーディオデータそれぞれを複数のＳｉｎｋデバイス内の任意の１以上のＳｉｎｋデバイスに伝送することが可能となる。特に、選択情報が付加されたメッセージを用いることにより、複数のＳｉｎｋデバイスに選択的に無線接続可能な環境においても、任意のＳｉｎｋデバイスを対象に、そのＳｉｎｋデバイスに映像表示またはオーディオ出力を自動的に実行させるというワンタッチプレイ機能を実現することができる。
【００５８】
なお、メッセージとは無関係に、選択情報のみをＳｉｎｋデバイスから映像伝送装置１０１に送信するようにしてもよい。
【００５９】
次に、図７を参照して、本実施形態の映像伝送装置１０１を含む無線伝送システムの他の構成例を説明する。
【００６０】
図７の無線伝送システムにおいては、映像伝送装置１０１は、例えば、パーソナルコンピュータのような情報処理装置から構成されている。この映像伝送装置１０１は、ユーザの操作に応じて、トポロジーリスト情報によって示される複数のトポロジーグループの内から、使用すべき一つのトポロジーグループを選択する機能を有している。すなわち、映像伝送装置１０１は、生成したトポロジーリスト情報を、映像伝送装置１０１に設けられた画面、またはＴＶセット１１１のようなＳｉｎｋデバイスの画面上に表示し、ユーザによる映像伝送装置１０１に設けられた入力装置（操作ボタン、キーボード、リモコンユニット、マウス、等）の操作に応じて、使用すべき一つのトポロジーグループを複数のトポロジーグループの中から選択する。この映像伝送装置１０１の機能により、ユーザは、映像表示、オーディオ出力を実行させるべき伝送先Ｓｉｎｋデバイス（または伝送先のＳｉｎｋデバイス群）を容易に切り替えることが出来る。
【００６１】
伝送先Ｓｉｎｋデバイスの切り替え動作は、例えば、以下の手順で実行される。
【００６２】
（１）ユーザからの要求に応答して、映像伝送装置１０１は、生成したトポロジーリスト情報（トポロジーグループ１，２，３，４）を、例えば、ＴＶセット１１１のようなＳｉｎｋデバイスの画面上に表示する。ユーザは、映像伝送装置１０１に設けられた入力装置を操作することにより、トポロジーグループ１，２，３，４の内の一つを指定する。映像伝送装置１０１は、ユーザによって指定されたトポロジーグループを選択し、選択されたトポロジーグループに応じて、複数のＳｉｎｋデバイスの内から、映像データを伝送すべき第１のＳｉｎｋデバイス（ビデオデータ用ターゲットデバイス）とオーディオデータを伝送すべき第２のＳｉｎｋデバイス（オーディオデータ用ターゲットデバイス）とを特定する。そして、映像伝送装置１０１は、ソースデバイスからの映像データをビデオデータ用ターゲットデバイスに無線信号によって伝送すると共に、ソースデバイスからのオーディオデータをオーディオデータ用ターゲットデバイスに無線信号によって伝送する。
【００６３】
例えば、今、ＴＶセット１１１に映像データおよびオーディオデータが伝送されている状態で、ユーザによって、トポロジーグループ４が新たに指定された場合を想定する。映像伝送装置１０１は、トポロジーグループ４に属するプロジェクタ１１２およびＡＶアンプ１１３それぞれとの無線接続を確立し、そして、ソースデバイスからの映像データをプロジェクタ１１２に無線信号によって伝送する処理と、ソースデバイスからのオーディオデータをＡＶアンプ１１３に伝送する処理を開始する。
【００６４】
この場合、ＴＶセット１１１が表示可能な映像データフォーマット（例えば、映像データ解像度、ピクセルエンコード方式（RGB4:4:4，YCrCb4:4:4，YCrCb4:2:2，YCrCb4:2:0，等））とプロジェクタ１１２が表示可能な映像データフォーマットとが異なる場合がある。同様に、ＴＶセット１１１が処理可能なオーディオデータフォーマット（例えば、オーディオデータの信号のフォーマット、等）とＡＶアンプ１１３が処理可能なオーディオデータフォーマットとが異なる場合もある。
【００６５】
そこで、映像伝送装置１０１は、新たに選択されたビデオデータ用ターゲットデバイスが表示可能な映像データフォーマットを示すビデオデータ用ターゲットデバイスの機器情報、例えば、プロジェクタ１１２の機器情報を、ソースデバイスに通知する。また、映像伝送装置１０１は、新たに選択されたオーディオデータ用ターゲットデバイスが処理可能なオーディオデータフォーマットを示すオーディオデータ用ターゲットデバイスの機器情報、例えば、ＡＶアンプ１１３の機器情報を、ソースデバイスに通知する
ＨＤＭＩ規格に対応する各Ｓｉｎｋデバイスは、ＥＤＩＤ（Extended Display Identification Data）と称される情報を保持している。この情報は、対応するＳｉｎｋデバイスがサポートする映像データフォーマット、オーディオデータフォーマット等を示す機器情報を含んでいる。したがって、映像伝送装置１０１は、例えば、プロジェクタ１１２のＥＤＩＤおよびＡＶアンプ１１３のＥＤＩＤを用いることにより、プロジェクタ１１２が表示可能な映像データフォーマットおよびＡＶアンプ１１３が処理可能なオーディオデータフォーマットをソースデバイスに通知することができる。
【００６６】
この通知の処理は、例えば、以下の手順で行うことが出来る。
【００６７】
（２）例えば、トポロジーグループ１からトポロジーグループ４への切り替え時においては、映像伝送装置１０１は、ソースデバイスに通知すべきＳｉｎｋデバイスのＥＤＩＤを、ＴＶセット１１１が表示可能なビデオデータフォーマットおよびＴＶセット１１１が処理可能なオーディオデータフォーマットを示す情報から、プロジェクタ１１２が表示可能なビデオデータフォーマットおよびＡＶアンプ１１３が処理可能なオーディオデータフォーマットを示す情報に更新する。
【００６８】
（３）次いで、映像伝送装置１０１は、ＨＤＭＩケーブル内に定義されたホットプラグ検出信号をリセットする。すなわち、映像伝送装置１０１は、ホットプラグ検出信号を一旦ディスエーブル状態に設定した後、ホットプラグ検出信号をイネーブル状態に設定する。このホットプラグ検出信号は、Ｓｉｎｋデバイスがレディ状態になったことをソースデバイスに通知するための信号である。ホットプラグ検出信号がイネーブルになった時、ソースデバイスは、ＳｉｎｋデバイスのＥＤＩＤを取得する処理を自動的に開始する。これにより、変更された新たなＥＤＩＤ（プロジェクタ１１２が表示可能なビデオデータフォーマットを示す情報、ＡＶアンプ１１３が処理可能なオーディオデータフォーマットを示す情報）をソースデバイスに通知することができる。
【００６９】
（４）この後、映像伝送装置１０１は、ソースデバイスに対して新たな論理アドレスを割り当てる処理を必要に応じて実行する。
【００７０】
ソースデバイスは、映像データを新たなＳｉｎｋデバイスが表示可能なビデオデータフォーマットにエンコードし、そのエンコードした映像データを出力する。また、ソースデバイスは、オーディオデータを新たなＳｉｎｋデバイスが処理可能なオーディオデータフォーマットにエンコードし、そのエンコードしたオーディオデータを出力する。
【００７１】
なお、映像伝送装置１０１がパーソナルコンピュータから構成されている場合においては、ソースデバイスは、例えば、映像伝送装置１０１に内蔵されたＤＶＤドライブおよびこのＤＶＤドライブを制御するソフトウェアによって実現することもできる。
【００７２】
図８には、トポロジーグループの他の例が示されている。
【００７３】
図８のトポロジーリスト情報においては、前述のトポロジーグループ１〜４に加え、トポロジーグループ５，６が設けられている。
【００７４】
トポロジーグループ５には、ＴＶセット１１１とプロジェクタ１１２とが属している。このトポロジーグループ５は、例えば、２つの異なる画面イメージを同時に２つのＳｉｎｋデバイス（ＴＶセット１１１とプロジェクタ１１２）に表示するため等に用いられる。
【００７５】
トポロジーグループ６には、ＴＶセット１１１とプロジェクタ１１２とＡＶアンプ１１３とが属している。このトポロジーグループ６は、例えば、２つの異なる画面イメージを同時に２つのＳｉｎｋデバイス（ＴＶセット１１１とプロジェクタ１１２）に表示し、オーディオデータの出力処理をＡＶアンプ１１３に実行させる場合等に利用される。
【００７６】
使用すべきトポロジーグループの切替は、例えば、キーボード上のキーの操作によって行うこともできる。例えば、ユーザが“Fn”キーと“F5”キーとを同時に押すたびに、使用すべきトポロジーグループを、トポロジーグループ１、２、３、４、５、６、１、２、…のように切り替えることができる。
【００７７】
次に、図９を参照して、図７のシステム構成に適用される映像伝送装置１０１の構成例を説明する。
【００７８】
この映像伝送装置１０１は、図３で説明したリスト情報送信部２０５の代わりに、リスト情報表示部３０１およびグループ選択部３０２を備えている。さらに、映像伝送装置１０１は、機器情報通知部３０３も備えている。他の点は、図３の構成と同じである。
【００７９】
リスト情報表示部３０１は、ユーザからの要求に応じて、トポロジーリスト生成部２０４によって生成されたトポロジーリスト情報を映像伝送装置１０１に設けられた画面またはＳｉｎｋデバイスの画面上に表示する。グループ選択部３０２は、ユーザ操作に応じて、トポロジーリスト情報によって示される複数のトポロジーグループの一つを選択する。
【００８０】
伝送先特定部２０７は、グループ選択部３０２によって選択されたトポロジーグループに応じて、ソースデバイスから出力されるコンテンツデータに含まれる映像データを伝送すべき第１のＳｉｎｋデバイス（ビデオデータ用ターゲットデバイス）と当該コンテンツデータに含まれるオーディオデータを伝送すべき第２のＳｉｎｋデバイス（オーディオデータ用ターゲットデバイス）とを特定する。
【００８１】
機器情報通知部３０３は、特定されたビデオデータ用ターゲットデバイスが表示可能な映像データフォーマットを示すビデオデータ用ターゲットデバイスの機器情報と、特定されたオーディオデータ用ターゲットデバイスが処理可能なオーディオデータフォーマットを示すオーディオデータ用ターゲットデバイスの機器情報とを、ソースデバイスに通知する処理を実行する。
【００８２】
次に、図１０のフローチャートを参照して、図１０に示した映像伝送装置１０１によって実行される一連の処理手順を説明する。
【００８３】
まず、映像伝送装置１０１は、映像伝送装置１０１に無線接続可能なＳｉｎｋデバイスそれぞれとの無線通信によって、それらＳｉｎｋデバイスそれぞれの機能を検出する（ステップＳ２０１）。このステップＳ２０１では、映像伝送装置１０１は、例えば、特定種類のＳｉｎｋデバイスを探索するための問い合わせパケットをブロードキャストして当該特定種類のＳｉｎｋデバイスからの応答の有無を判別する処理を、探索対象とすべきＳｉｎｋデバイスの種類を変更しながら繰り返し実行する。これにより、映像伝送装置１０１に無線接続可能なＳｉｎｋデバイスそれぞれの機能を検出することができる。
【００８４】
次いで、映像伝送装置１０１は、検出されたＳｉｎｋデバイスそれぞれの機能に応じて、それらＳｉｎｋデバイスを、それらＳｉｎｋデバイスが取り得る複数のトポロジーグループに分類し、これら複数のトポロジーグループそれぞれの構成の一覧を示すトポロジーリスト情報を生成する（ステップＳ２０２）。映像伝送装置１０１は、生成したトポロジーリスト情報を、映像伝送装置１０１に設けられた画面またはＳｉｎｋデバイスの画面上に表示する（ステップＳ２０３）。この後、映像伝送装置１０１は、ユーザ操作に応じて、トポロジーグループの１つを選択する（ステップＳ２０４）。
【００８５】
そして、映像伝送装置１０１は、選択されたトポロジーグループに応じて、ソースデバイスからの映像データが伝送されるべき第１のＳｉｎｋデバイス（ビデオデータ用ターゲットデバイス）と、ソースデバイスからのオーディオデータが伝送されるべき第２のＳｉｎｋデバイス（オーディオデータ用ターゲットデバイス）とを特定する（ステップＳ２０５）。
【００８６】
次いで、映像伝送装置１０１は、ビデオデータ用ターゲットデバイスとオーディオデータ用ターゲットデバイスとが同じ一つのＳｉｎｋデバイスであるか否かを判定する（ステップＳ２０６）。
【００８７】
ビデオデータ用ターゲットデバイスとオーディオデータ用ターゲットデバイスとが同じ一つのＳｉｎｋデバイスであるならば（ステップＳ２０６のＹＥＳ）、映像伝送装置１０１は、当該１つのＳｉｎｋデバイスの機器情報（当該１つのＳｉｎｋデバイスが表示可能な映像データフォーマットと、当該１つのＳｉｎｋデバイスが処理可能なオーディオデータフォーマットとを示す）をソースデバイスに通知する（ステップＳ２０７）。そして、映像伝送装置１０１は、当該１つのＳｉｎｋデバイスとの無線接続を確立し、そして、当該１つのＳｉｎｋデバイスに対して、ソースデバイスから受信したコンテンツデータ（ビデオデータおよびオーディオデータ）を伝送する（ステップＳ２０８）。
【００８８】
ビデオデータ用ターゲットデバイスとオーディオデータ用ターゲットデバイスとが異なる２つのＳｉｎｋデバイスであるならば（ステップＳ２０６のＮＯ）、映像伝送装置１０１は、ビデオデータ用ターゲットデバイスの機器情報（ビデオデータ用ターゲットデバイスが表示可能な映像データフォーマットを示す）とオーディオデータ用ターゲットデバイスの機器情報（オーディオデータ用ターゲットデバイスが処理可能なオーディオデータフォーマットを示す）とをソースデバイスに通知する（ステップＳ２０９）。
【００８９】
次いで、映像伝送装置１０１は、ビデオデータ用ターゲットデバイスとして特定されたＳｉｎｋデバイスとオーディオデータ用ターゲットデバイスとして特定されたＳｉｎｋデバイスそれぞれとの無線接続を確立し、そして、ビデオデータ用ターゲットデバイスとして特定されたＳｉｎｋデバイスに対して、ソースデバイスから受信したコンテンツデータに含まれるビデオデータを伝送し、オーディオデータ用ターゲットデバイスとして特定されたＳｉｎｋデバイスに対して、ソースデバイスから受信したコンテンツデータに含まれるオーディオデータを伝送する（ステップＳ２１０）。
【００９０】
以上のように、図９の映像伝送装置１０１の構成においても、ソースデバイスからのコンテンツデータに含まれる映像データおよびオーディオデータそれぞれを複数のＳｉｎｋデバイス内の任意の１以上のＳｉｎｋデバイスに伝送することが可能となる。また、ユーザによる映像伝送装置１０１の操作に応じて、容易に、伝送先Ｓｉｎｋデバイスの組み合わせを変更することができる。
【００９１】
なお、図３、図９で説明した機能検出部２０３、トポロジーリスト生成部２０４、リスト情報送信部２０５、データ伝送制御部２０６、伝送先特定部２０７、リスト情報表示部３０１、グループ選択部３０２、機器情報通知部３０３それぞれの機能は、映像伝送装置１０１内に設けられたＣＰＵによって実行される通信制御プログラムによって実現することができる。この場合、図６のフローチャートで説明した処理、および図１０のフローチャートで説明した処理は、それぞれＣＰＵによって実行することが出来る。もちろん、上述の機能検出部２０３、トポロジーリスト生成部２０４、リスト情報送信部２０５、データ伝送制御部２０６、伝送先特定部２０７、リスト情報表示部３０１、グループ選択部３０２、機器情報通知部３０３の機能をそれぞれ専用の回路によって実現したり、またこれら機能をマイクロコンピュータやＤＳＰ等によって実現してもよい。
【００９２】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。  
以下、本願原出願の特許査定時の特許請求の範囲に記載された発明を付記する。  
［１］ソースデバイスに接続され、前記ソースデバイスから出力されるコンテンツデータを複数の電子機器に無線信号によって選択的に伝送するデータ伝送装置であって、
前記複数の電子機器それぞれとの無線通信によって前記複数の電子機器それぞれの機能を検出する機能検出手段と、
前記検出された前記複数の電子機器それぞれの機能に応じて、前記複数の電子機器を、各々のグループが映像表示に使用可能な電子機器とオーディオ出力に使用可能な電子機器との組み合わせ、または映像表示およびオーディオ出力の双方に使用可能な一つの電子機器を含む、複数のグループに分類し、前記複数のグループそれぞれの構成の一覧を示すリスト情報を生成するリスト情報生成手段と、
前記生成されたリスト情報を前記ソースデバイスに送信するリスト情報送信手段と、  前記ソースデバイスから出力される前記複数のグループの一つを指定する選択情報に応じて、前記複数の電子機器の内から前記コンテンツデータに含まれる映像データを伝送すべき第１の電子機器と前記コンテンツデータに含まれるオーディオデータを伝送すべき第２の電子機器とを特定し、前記特定された第１の電子機器と前記特定された第２の電子機器とが異なる電子機器である場合、前記コンテンツデータに含まれる映像データおよびオーディオデータを前記特定された第１の電子機器および第２の電子機器にそれぞれ無線信号によって伝送し、前記特定された第１の電子機器と前記特定された第２の電子機器とが一つの電子機器である場合、前記コンテンツデータに含まれる映像データおよびオーディオデータを前記一つの電子機器に無線信号によって伝送するデータ伝送制御手段とを具備することを特徴とするデータ伝送装置。  
［２］前記ソースデバイスは、前記ソースデバイスに設けられた所定のボタンの操作に応答して、伝送先電子機器に対して映像表示またはオーディオ出力をすべきことを指示するメッセージであって前記選択情報が付加されたメッセージを出力すると共に、前記コンテンツデータの出力を開始し、
前記データ伝送制御手段は、前記ソースデバイスから出力される前記メッセージに付加された前記選択情報に応じて前記第１の機器と前記第２の機器とを特定することを特徴とする［１］記載のデータ伝送装置。  
［３］前記データ伝送制御手段は、前記特定された第１の電子機器と前記特定された第２の電子機器とが異なる電子機器である場合、前記メッセージおよび前記コンテンツデータに含まれる映像データを前記特定された第１の電子機器に無線信号によって伝送すると共に、前記メッセージおよび前記コンテンツデータに含まれるオーディオデータを前記特定された第２の電子機器に無線信号によって伝送することを特徴とする［２］記載のデータ伝送装置。  
［４］前記データ伝送制御手段は、前記特定された第１の電子機器と前記特定された第２の電子機器とが一つの電子機器である場合、前記メッセージと、前記コンテンツデータに含まれる前記映像データおよび前記オーディオデータとを、前記一つの電子機器に無線信号によって伝送することを特徴とする［３］記載のデータ伝送装置。  
［５］ソースデバイスから出力されるコンテンツデータを複数の電子機器に無線信号によって選択的に伝送するデータ伝送装置であって、
前記複数の電子機器それぞれとの無線通信によって前記複数の電子機器それぞれの機能を検出する機能検出手段と、
前記検出された前記複数の電子機器それぞれの機能に応じて、前記複数の電子機器を、各々のグループが映像表示に使用可能な電子機器とオーディオ出力に使用可能な電子機器との組み合わせ、または映像表示およびオーディオ出力の双方に使用可能な一つの電子機器を含む、複数のグループに分類し、前記複数のグループそれぞれの構成の一覧を示すリスト情報を生成するリスト情報生成手段と、
前記生成されたリスト情報を画面上に表示するリスト情報表示手段と、
ユーザ操作に応じて、前記リスト情報によって示される前記複数のグループの一つを選択する選択手段と、
前記選択されたグループに応じて、前記複数の電子機器の内から前記コンテンツデータに含まれる映像データを伝送すべき第１の電子機器と前記コンテンツデータに含まれるオーディオデータを伝送すべき第２の電子機器とを特定し、前記特定された第１の電子機器と前記特定された第２の電子機器とが異なる電子機器である場合、前記コンテンツデータに含まれる映像データおよびオーディオデータを前記特定された第１の電子機器および第２の電子機器にそれぞれ無線信号によって伝送し、前記特定された第１の電子機器と前記特定された第２の電子機器とが一つの電子機器である場合、前記コンテンツデータに含まれる映像データおよびオーディオデータを前記一つの電子機器に無線信号によって伝送するデータ伝送制御手段とを具備することを特徴とするデータ伝送装置。  
［６］前記特定された第１の電子機器と前記特定された第２の電子機器とが異なる電子機器である場合、前記特定された第１の電子機器が表示可能な映像データフォーマットを示す前記第１の電子機器の機器情報と前記特定された第２の電子機器が処理可能なオーディオデータフォーマットを示す前記第２の電子機器の機器情報とを前記ソースデバイスに通知し、前記特定された第１の電子機器と前記特定された第２の電子機器とが一つの電子機器である場合、前記一つの電子機器が表示可能な映像データフォーマットおよび前記一つの電子機器が表示可能なオーディオデータフォーマットをそれぞれ示す前記一つの機器の機器情報を前記ソースデバイスに通知する通知手段をさらに具備することを特徴とする［５］記載のデータ伝送装置。  
［７］ソースデバイスに接続されたデータ伝送装置を制御して、前記ソースデバイスから出力されるコンテンツデータを複数の電子機器に無線信号によって選択的に伝送するデータ伝送方法であって、
前記複数の電子機器それぞれとの無線通信によって前記複数の電子機器それぞれの機能を検出するステップと、
前記検出された前記複数の電子機器それぞれの機能に応じて、前記複数の電子機器を、各々のグループが映像表示に使用可能な電子機器とオーディオ出力に使用可能な電子機器との組み合わせ、または映像表示およびオーディオ出力の双方に使用可能な一つの電子機器を含む、複数のグループに分類し、前記複数のグループそれぞれの構成の一覧を示すリスト情報を生成するステップと、
前記生成されたリスト情報を前記ソースデバイスに送信するステップと、
前記ソースデバイスから出力される前記複数のグループの一つを指定する選択情報に応じて、前記複数の電子機器の内から前記コンテンツデータに含まれる映像データを伝送すべき第１の電子機器と前記コンテンツデータに含まれるオーディオデータを伝送すべき第２の電子機器とを特定する機器特定ステップと、
前記特定された第１の電子機器と前記特定された第２の電子機器とが異なる電子機器である場合、前記コンテンツデータに含まれる映像データおよびオーディオデータを前記特定された第１の電子機器および第２の電子機器にそれぞれ無線信号によって伝送し、前記特定された第１の電子機器と前記特定された第２の電子機器とが一つの電子機器である場合、前記コンテンツデータに含まれる映像データおよびオーディオデータを前記一つの電子機器に無線信号によって伝送するデータ伝送制御ステップとを具備することを特徴とするデータ伝送方法。  
［８］前記ソースデバイスは、前記ソースデバイスに設けられた所定のボタンの操作に応答して、伝送先電子機器に対して映像表示またはオーディオ出力をすべきことを指示するメッセージであって前記選択情報が付加されたメッセージを出力すると共に、前記コンテンツデータの出力を開始し、
前記機器特定ステップは、前記ソースデバイスから出力される前記メッセージに付加された前記選択情報に応じて前記第１の機器と前記第２の機器とを特定することを特徴とする［７］記載のデータ伝送方法。  
［９］前記データ伝送制御手段は、前記特定された第１の電子機器と前記特定された第２の電子機器とが異なる電子機器である場合、前記メッセージおよび前記コンテンツデータに含まれる映像データを前記特定された第１の電子機器に無線信号によって伝送すると共に、前記メッセージおよび前記コンテンツデータに含まれるオーディオデータを前記特定された第２の電子機器に無線信号によって伝送することを特徴とする［８］記載のデータ伝送方法。  
［１０］前記データ伝送制御手段は、前記特定された第１の電子機器と前記特定された第２の電子機器とが一つの電子機器である場合、前記メッセージと、前記コンテンツデータに含まれる前記映像データおよび前記オーディオデータとを、前記一つの電子機器に無線信号によって伝送することを特徴とする［９］記載のデータ伝送方法。
【符号の説明】
【００９３】
１０１…映像伝送装置、１１１…ＴＶセット、１１２…プロジェクタ、１１３…ＡＶアンプ、１２１，１２２…ソースデバイス、２０１…無線通信部、２０２…ＨＤＭＩインタフェース部、２０３…機能検出部、２０４…トポロジーリスト生成部、２０５…リスト情報送信部、２０６…データ伝送制御部、２０７…伝送先特定部。
【図１】
2012157033.tif 000003
【図２】
2012157033.tif 000004
【図３】
2012157033.tif 000005
【図４】
2012157033.tif 000006
【図５】
2012157033.tif 000007
【図６】
2012157033.tif 000008
【図７】
2012157033.tif 000009
【図８】
2012157033.tif 000010
【図９】
2012157033.tif 000011
【図１０】
2012157033.tif 000012